(57)【特許請求の範囲】
【請求項１】
少なくとも、折れ線を介して順次連設した糊代片１１、後パネル１２、側パネル１３、前パネル１４、側パネル１５、延長パネル１６からなるブランクを折り曲げて前記糊代片１１と前記側パネル１５を貼り合せ、前記延長パネル１６を前記後パネル１２の外面とを重ね合わせて形成してなる偏平状のカートンであって、
重ね合わせた前記後パネル１２に三角形または四角形の支持部１２ａと該支持部１２ａの両側に連設した三角形または扇形の補強部１２ｂとからなる略六角形で、前記支持部１２ａの残りの一辺が前記後パネル１２に折り曲げ可能で連結している衝立て具部分Ａを設け、外側の前記延長パネル１６に、外形が前記支持部１２ａの外形より大きく前記衝立て具部分Ａの外形より小さい略多角形である引き出し部Ｂを設け、前記衝立て具部分Ａが前記引き出し部Ｂから引き出し可能であることを特徴とする自立性カートン。
【請求項２】
カートンの上部に開口用のミシン目７または開口用のジッパー５を設けたことを特徴とする請求項１に記載の自立性カートン。
【請求項３】
開口用の前記ミシン目７または開口用の前記ジッパー５を、カートンに収納される内容物であるパウチに形成された開封ノッチ６に対向するように設けたことを特徴とする請求項２に記載の自立性カートン。
【発明の詳細な説明】
【０００１】
【発明の属する技術分野】
本発明は、自立性カートンに関するものである。
【０００２】
【従来の技術】
従来より、偏平状のカートンは自立性に乏しく、店頭などでのディスプレイ効果に欠けている。この偏平状のカートンを自立するために、別の部材を衝立て具として利用したり、種々の複雑な形態のカートンが工夫されている。
【０００３】
【発明が解決しようとする課題】
しかしながら、従来のカートンでは、別の部材を使用するという煩雑さがあること、また、カートンの形態が複雑であるため製造工程が簡単でなかったり、さらに、カートンの強度を弱めたりするなどの問題がある。
【０００４】
また、カートンに自立性を持たせることは、ディスプレイ効果を持たせるという以外に、電子レンジ用のパウチを収納するカートンにおいても必要である。調理済みのカレー、スープ類等のレトルト食品と言われる流動性食品等は、通常アルミ製レトルトパウチに充填、密封及び加熱殺菌され偏平状のカートンに収納されて販売されているが、このパウチを電子レンジで加熱する場合は、加温による内容物の膨張によるパウチの破裂を避けるなどのために、カートンからパウチを取り出して中身を別の容器に移し替えてから電子レンジで加熱している。この別の容易に移し替えることは、耐熱性のあるパウチを有効に使用していない上、使用者の取り扱いが煩雑であるという問題がある。また、パウチの一部に通気孔を開ける方法もあるが、パウチ自体を電子レンジの中で自立させることは難しく、洩れ出したり、倒れたりする危険があるという問題があり、この点からもパウチを収納した状態のまま電子レンジで加熱を行うことができるようにカートンに自立性を持たせることが必要となっている。
【０００５】
これらの課題に鑑み、本発明は、一般の製造工程で製造することができ、カートンの強度を弱めることなく内容物を収納した状態のままで簡単に自立性を持たせることができる自立性カートンを提供することを目的とするものである。
【０００６】
【課題を解決するための手段】
前記目的を達成するためになされた本発明は、少なくとも、折れ線を介して順次連設した糊代片１１、後パネル１２、側パネル１３、前パネル１４、側パネル１５、延長パネル１６からなるブランクを折り曲げて前記糊代片１１と前記側パネル１５を貼り合せ、前記延長パネル１６を前記後パネル１２の外面とを重ね合わせて形成してなる偏平状のカートンであって、重ね合わせた前記後パネル１２に三角形または四角形の支持部１２ａと該支持部１２ａの両側に連設した三角形または扇形の補強部１２ｂとからなる略六角形で、前記支持部１２ａの残りの一辺が前記後パネル１２に折り曲げ可能で連結している衝立て具部分Ａを設け、外側の前記延長パネル１６に、外形が前記支持部１２ａの外形より大きく前記衝立て具部分Ａの外形より小さい略多角形である引き出し部Ｂを設け、前記衝立て具部分Ａが前記引き出し部Ｂから引き出し可能であることを特徴とする自立性カートンである。
【０００７】
また、前記衝立て具部分は、少なくとも四角形の支持部と該支持部の両側に連設した三角形の補強部とからなる略六角形で、前記支持部の残りの一辺が前記後パネルに折り曲げ可能で連結していることを特徴とし、前記引き出し部の形状は、外形が前記支持部の外形より大きく前記衝立て具部分の形状より小さい略六角形であることを特徴とする。
【０００８】
さらに、カートンの上部に開口用のミシン目または開口用のジッパーを設けたこと、そして、開口用の前記ミシン目または前記開口用のジッパーをカートンに収納される内容物であるパウチに形成された開封ノッチに対向するように設けたことを特徴とする。
【０００９】
本発明によれば、一般の製造工程で製造することができ、カートンの強度を弱めることなく内容物を収納した状態のままで簡単に自立性を持たせることができる自立性カートンを得ることができる。
【００１０】
【発明の実施の形態】
以下に、本発明の自立性カートンの実施の形態についてを図面を用いて説明する。なお、幾つかの図面において同一または同様な部分には同一の符号をつけている。
【００１１】
まず、本発明の自立性カートンの第一の実施の形態について説明する。図１は本発明の自立性カートンの第一の形態の一実施例が実際に自立している状態を示す斜視図であり、図２はその側面図である。自立性カートン１ａは、自立性カートン本体２自体では自立し難い偏平状のカートンであり、後パネル１２の外側で延長パネル１６を重ね合わせ、延長パネル１６に設けた引き出し部Ｂから後パネル１２に設けた支持部１２ａおよび補強部１２ｂ、１２ｂからなる衝立て具部分Ａを引出して自立している形状である。
【００１２】
図３は本発明による自立性カートン１ａのブランク展開図である。カートンブランク１０ａは、糊代片１１、後パネル１２、側パネル１３、前パネル１４、側パネル１５、延長パネル１６を折れ線ａ、ｂ、ｃ、ｄ、ｅを介して順次連設している。また、後パネル１２の左右に折れ線ｆ、ｆを介して糊代片１７、１７を連設し、側パネル１３の左右に折れ線ｇ、ｇを介して折り込み片１８、１８を連設し、前パネル１４の左右に折れ線ｈ、ｈを介してシールパネル１９、１９を連設し、側パネル１５の左右に折れ線ｉ、ｉを介して折り込み片２０、２０を連設している。
【００１３】
また、後パネル１２には、略六角形の衝立て具部分Ａを設けてあり、その衝立て具部分Ａは支持部１２ａと両補強部１２ｂ、１２ｂとからなっている。支持部１２ａの形状は、四辺形であり、一辺が糊代片１１との折れ線ａの一部である切れ線ａ′とであり、その対向する辺は折れ線ｊとして後パネル１２と折り曲げ可能で連結し、他の両側辺に折れ線ｋ、ｋを介して補強部１２ｂ、１２ｂを連設している。補強部１２ｂの形状は三角形であり、支持部１２ａとの折れ線ｋを一辺とし、他の二辺を切れ線ｌとし、糊代片１１側の辺の糊代片１７側先端近くには補強部１２ｂを延長パネル１６の下辺で係止し、抜け出ることを防止するための凸部１２ｃを設けている。
【００１４】
延長パネル１６には、引き出し部Ｂを設けており、この引き出し部Ｂから後パネル１２に設けた衝立て具部分Ａである支持部１２ａおよび補強部１２ｂ、１２ｂが引き出される。引き出し部Ｂの形状は、衝立て具部分Ａの一部である支持部１２ａとほぼ同形の四辺形とする。図３−ａでは、この四辺形の引き出し部Ｂの一辺は折れ線ｅの一部分で切れ線ｅ′とし、その対向する辺は折れ線ｍとし、延長パネル１６と折り曲げ可能で連結し、その他の対向する辺は切り取り可能な切り取り線ｎ、ｎとしている。
また、図３−ｂに示すように、この引き出し部Ｂは折れ線ｍ、切り取り線ｎ、ｎ、切れ線ｅ′で打ち抜いた窓形状としてもよい。
さらに、図３−ｃに示すように、上記の窓形状の引き出し部Ｂを延長パネル１６の外側の辺まで拡張した形状としてもよい。
【００１５】
このカートンブランク１０ａを組み立てて内容物４を収納するには、まず、カートンブランク１０ａの後パネル１２を折れ線ｂで内側に折り曲げる。つぎに、側パネル１５を折れ線ｄで内側に折り曲げ、糊代片１１と側パネル１５を接着し、同時に延長パネル１６の引き出し部Ｂ以外の部分で後パネル１２に接着し固定する。このようにして、図４に示すような折り畳まれた状態の自立性カートン１ａが作成される。この加工工程は従来の製函機において行うことができる。つぎに、充填包装機においてこの折り畳まれた自立性カートン１ａを起こして内容物４を収納して、折り込み片１８、２０を内側に折り込み、左右のシールパネル１９を糊代片１７に接着して密封し、図５に示すような自立する前の状態の自立性カートン１ａが形成される。
【００１６】
実際に、内容物が収納された自立性カートン１ａを自立した状態にするには、まず、図６−ａに示すように、衝立て具部分Ａの切れ線ａ′の部分と延長パネル１６の引き出し部Ｂの切れ線ｅ′の部分を取っ掛かりとして引き出し部１６から支持部１２ａを引き出す。同時に補強部１２ｂ、１２ｂも引き出される。つぎに、図６−ｂに示すように、補強部１２ｂ、１２ｂの先端部分に設けられた凸部１２ｃが係止されるまで引き出し、固定されることによって衝立て具３を組み立てることができる。この衝立て具３によって、図１に示すように、自立カートン本体２は傾斜した状態で安定して保持される。
【００１７】
つぎに、本発明の自立性カートンの第二の実施の形態について説明する。図７は本発明の自立性カートンの第二の形態の一実施例が実際に自立している状態を示す斜視図であり、図８はその側面図である。自立性カートン１ｂは、自立性カートン本体２自体では自立し難い偏平状のカートンであり、後パネル１２の外側に延長パネル１６を重ね合わせ、延長パネル１６に設けた引き出し部Ｂから後パネル１２に設けた支持部１２ａおよび補強部１２ｂ、１２ｂからなる衝立て具部分Ａを引出して自立している形状である。
【００１８】
図９は本発明による自立性カートン１ｂのブランク展開図である。カートンブランク１０ｂは、糊代片１１、後パネル１２、側パネル１３、前パネル１４、側パネル１５、延長パネル１６を折れ線ａ、ｂ、ｃ、ｄ、ｅを介して順次連設している。また、後パネル１２の左右に折れ線ｆ、ｆを介して糊代片１７、１７を連設し、側パネル１３の左右に折れ線ｇ、ｇを介して折り込み片１８、１８を連設し、前パネル１４の左右に折れ線ｈ、ｈを介してシールパネル１９、１９を連設し、側パネル１５の左右に折れ線ｉ、ｉを介して折り込み片２０、２０を連設している。
【００１９】
また、後パネル１２には、六角形の衝立て具部分Ａを設けてあり、その衝立て具部分Ａは支持部１２ａと両補強部１２ｂ、１２ｂとからなっている。支持部１２ａの形状は、四辺形であり、一辺が糊代片１１との折れ線ａの一部であり、その対向する辺は折れ線ｊとして後パネル１２と折り曲げ可能で連結し、他の両側辺に折れ線ｋ、ｋを介して補強部１２ｂ、１２ｂを連設している。補強部１２ｂの形状は三角形であり、支持部１２ａとの折れ線ｋを一辺とし、他の二辺を切れ線ｌとし、糊代片１１側の辺の糊代片１７側先端近くには補強部１２ｂを延長パネル１６で係止するための凹部１２ｄを設けている。
【００２０】
糊代片１１には、衝立て具部分Ａを引き出すための摘み片１１ａを後パネル１２の支持部１２ａに折れ線ａを介して連結して糊代片１１から切り取り可能に切れ線ｎを設けている。この切れ線ｏは切り取りやすいようにミシン目、半切れ、リード罫などで連設している。折れ線ａ上に切れ線ａ′を設けずに、この糊代片１１に衝立て具部分Ａを延長して摘み片１１ａを設けることによって、隙間が生ぜず内容物を保護する点で良好である。
【００２１】
延長パネル１６には、引き出し部Ｂを設けており、この引き出し部Ｂから後パネル１２に設けた衝立て具部分Ａである支持部１２ａおよび補強部１２ｂ、１２ｂが引き出される。引き出し部Ｂの形状は、衝立て具部分Ａの一部である支持部１２ａの四辺形より大きく、支持部１２ａの四辺形の両側に三角形の補強部１２ｂ、１２ｂを加えた六角形より小さい六角形とする。
【００２２】
側パネル１５には、糊代片１１に設けた摘み片１１ａと同形の摘み片１５ａを側パネル１５から切り取り可能に切れ線ｐで設けている。この摘み片１５ａの部分は、延長パネル１６の引き出し部Ｂを拡張して切り取った形状としてもよい。
【００２３】
すなわち、この摘み片１１ａを切り取り、後パネル１２に設けた衝立て具部分Ａを延長パネル１６に設けた引き出し部Ｂから引き出し、折れ線ｊで後パネル１２と連結した状態で折り曲げて衝立て具３とすることができる。
【００２４】
このカートンブランク１０ｂを組み立てて内容物４を収納するには、まず、カートンブランク１０ｂの後パネル１２を折れ線ｂで内側に折り曲げる。つぎに、側パネル１５を折れ線ｄで内側に折り曲げ、糊代片１１と側パネル１５を接着し、同時に延長パネル１６の引き出し部Ｂ以外の部分で後パネル１２に接着し固定する。このようにして、図１０に示すような折り畳まれた状態の自立性カートン１ｂが作成される。この加工工程は従来の製函機において行うことができる。つぎに、充填包装機においてこの折り畳まれた自立性カートン１ｂを起こして内容物４を収納して、折り込み片１８、２０を内側に折り込み、左右のシールパネル１９を糊代片１７に接着して密封し、図１１に示すような自立する前の状態の自立性カートン１ｂが形成される。
【００２５】
実際に、内容物が収納された自立性カートン１ｂを自立した状態にするには、まず、図１２−ａに示すように、側パネル１２の摘み片１２ａを中方向に押し込んで貼り合わされている糊代片１１の摘み片１１ａと共に引き裂く。つぎに、図１２−ｂに示すように、押し込んで切り取った摘み片１２aを取っ掛かりとして引き出し部１６から支持部１２ａを引き出す。同時に補強部１２ｂ、１２ｂも引き出される。最後に、図１２−ｃに示すように、補強部１２ｂ、１２ｂの先端部分に設けられた凹部１２ｄが延長パネル１６で係止されるまで引き出し、固定されることによって衝立て具３を組み立てることができる。この衝立て具３によって、図７に示すように、自立カートン本体２は傾斜した状態で安定して保持される。
【００２６】
つぎに、本発明の自立性カートンの参考例１について説明する。図１３は本発明の自立性カートンの参考例１が実際に自立している状態を示す斜視図であり、図１４はその側面図である。自立性カートン１ｃは、自立性カートン本体２自体では自立し難い偏平状のカートンであり、後パネル１２の内側に延長パネル１６を重ね合わせ、後パネル１２に設けた引き出し部Ｂから延長パネル１６に設けた支持部１６ａおよび補強部１６ｂ、１６ｂからなる衝立て具部分Ａを引出して自立している形状である。
【００２７】
図１５は本発明による自立性カートン１ｃのブランク展開図である。カートンブランク１０ｃは、後パネル１２、側パネル１３、前パネル１４、側パネル１５、延長パネル１６を折れ線ｂ、ｃ、ｄ、ｅを介して順次連設している。また、後パネル１２の左右に折れ線ｆ、ｆを介して糊代片１７、１７を連設し、側パネル１３の左右に折れ線ｇ、ｇを介して折り込み片１８、１８を連設し、前パネル１４の左右に折れ線ｈ、ｈを介してシールパネル１９、１９を連設し、側パネル１５の左右に折れ線ｉ、ｉを介して折り込み片２０、２０を連設している。
【００２８】
また、延長パネル１６には、六角形の衝立て具部分Ａを設けてあり、その衝立て具部分Ａは支持部１６ａと両補強部１６ｂ、１６ｂとからなっている。支持部１６ａの形状は、四辺形であり、一辺が延長パネル１６と折れ線ｊを介して折り曲げ可能で連設している。補強部１６ｂの形状は三角形であり、支持部１６ａとの折れ線ｊを介して連設し、外側の辺の先端近くには補強部１６ｂを後パネル１２で係止するための凹部１６ｄを設けている。
【００２９】
後パネル１２には、引き出し部Ｂを設けており、この引き出し部Ｂから延長パネル１６に設けた衝立て具部分Ａである支持部１６ａおよび補強部１６ｂ、１６ｂが引き出される。引き出し部Ｂの形状は、衝立て具部分Ａの一部である支持部１６ａの四辺形より大きく、支持部１６ａの四辺形の両側に三角形の補強部１６ｂ、１６ｂを加えた六角形より小さい六角形とする。
【００３０】
このカートンブランク１０ｃを組み立てて内容物４を収納するには、まず、カートンブランク１０ｃの側パネル１５を折れ線ｄで内側に折り曲げる。つぎに、後パネル１２を折れ線ｂで内側に折り曲げ、延長パネル１６の一部分と後パネル１２とを接着し固定する。このようにして、図１６に示すような折り畳まれた状態の自立性カートン１ｃが作成される。この加工工程は従来の製函機において行うことができる。つぎに、充填包装機においてこの折り畳まれた自立性カートン１ｃを起こして内容物４を収納して、折り込み片１８、２０を内側に折り込み、左右のシールパネル１９を糊代片１７に接着して密封し、図１７に示すような自立する前の状態の自立性カートン１ｃが形成される。
【００３１】
実際に、内容物が収納された自立性カートン１ｃを自立した状態にするには、第二の実施の形態と同様に、まず、衝立て具部分Ａの支持部１６ａ下辺を取っ掛かりとして引き出し部Ｂから支持部１６ａを引き出す。同時に補強部１６ｂ、１６ｂも引き出される。つぎに、補強部１６ｂ、１６ｂの先端部分に設けられた凹部１６ｄが後パネル１２で係止されるまで引き出し、固定されることによって衝立て具３を組み立てることができる。この衝立て具３によって、図１３に示すように、自立カートン本体２は傾斜した状態で安定して保持される。なお、この参考例１においては、衝立て具部分Ａが、内側に倒れ込み容積を小さくすることから、衝立て具部分Ａの支持部１６ａの外側の辺に倒れ込み防止のための延長片を設けることができる。この延長片を設けることによって、衝立て具部分Ａの内側への倒れ込みを防ぐことができる。
【００３２】
また、引き出し部Ｂにおいて、側パネル１３から切り取り線あるいは折れ線を介してカバー片を設けることができる。このカバー片は折り曲げることも切り取ることもできる。カバー片を設けることによって、引き出し部Ｂと衝立て具部分Ａとで生じる隙間を防ぐことができる。
【００３３】
つぎに、本発明の自立性カートンの参考例２について説明する。本発明による自立性カートン１ｄが実際に自立している状態を示す斜視図は、第二の実施の形態と同様であり、図１８は本発明による自立性カートン１ｄのブランク展開図である。
【００３４】
図１８は本発明による自立性カートン１ｄ（図は省略）のブランク展開図である。カートンブランク１０ｄは、後パネル１２、側パネル１３、前パネル１４、側パネル１５、延長パネル１６を折れ線ｂ、ｃ、ｄ、ｅを介して順次連設している。また、後パネル１２の左右に折れ線ｆ、ｆを介して糊代片１７、１７を連設し、側パネル１３の左右に折れ線ｇ、ｇを介して折り込み片１８、１８を連設し、前パネル１４の左右に折れ線ｈ、ｈを介してシールパネル１９、１９を連設し、側パネル１５の左右に折れ線ｉ、ｉを介して折り込み片２０、２０を連設し、延長パネル１６の左右に折れ線ｑ、ｑを介して糊代片２１、２１を連設している。
【００３５】
また、後パネル１２には、引き出し部Ｂを設けており、一方の糊代片１７との折れ線f上にこの引き出し部Ｂの一辺が重なる位置に設けている。
【００３６】
また、延長パネル１６には、六角形の衝立て具部分Ａを設けてあり、一方の糊代片２１との折れ線ｑにその衝立て具部分Ａの一辺が重なる位置に設けている。
【００３７】
糊代片２１には、衝立て具部分Ａを引き出すための摘み片２１ａを後パネル１２の支持部１２ａに折れ線ｑを介して連結して糊代片２１から切り取り可能に切れ線ｒを設けることができる。
【００３８】
糊代片１７には、糊代片２１に設けた摘み片２１ａと同形の摘み片１７ａを糊代片１７から切り取り可能に切れ線ｓで設けることができる。
【００３９】
すなわち、この摘み片２１ａを切り取り、延長パネル１６に設けた衝立て具部分Ａを後パネル１２に設けた引き出し部Ｂから引き出し、折れ線ｊで延長パネル１６と連結した状態で折り曲げて衝立て具３とすることができる。
【００４０】
以上、第一の実施の形態、第二の実施の形態、参考例１および参考例２においては、引き出し部Ｂの形状が四角形、六角形の場合について説明したが、三角形にすることもできる。この場合には、衝立て具部分Ａの支持部の形状も三角形とする。また、衝立て具部分Ａの補強部の形状を三角形としているが、扇形にすることもできる。扇形にすることによって、衝立て具部分Ａを引き出し部Ｂからスムースに引き出すことができる。
【００４１】
さらに、本発明の自立性カートンの参考例３について説明する。図１９は、本発明の自立性カートンの参考例３を示す斜視図であり、図２０は、そのブランクの展開図である。図１９に示すように、自立性カートン本体２の上部の前パネル、両シールパネルに渡って開口用のジッパー５を設け、後パネルに折れ線を設けている。この開口用のジッパー５を切り裂いて自立性カートン１の上部を切り取ることによって、カートンを自立させると同時に、内容物４の一部を外に露出することができ、ディスプレイ効果のある自立性カートン１ｅを形成することができる。なお、ジッパー５の位置は特に限定されるものではなく、図のように、自立性カートン本体２の全周に渡って設けてもよく、あるいは前パネル１４だけに設け、後パネル１２で後方に折り曲げる形状でもよい。
【００４２】
図２１は、本発明の自立性カートンの参考例３の別の参考例を示す斜視図であり、図２２は、そのブランクの展開図である。本実施例は、電子レンジ用のパウチ４Ｐを収納する自立性カートン１ｆであり、図２１に示すように、パウチ４Ｐを収納する偏平状で横長のカートンであり、後パネル１２の一部が延長パネル１６の引き出し部Ｂから引き出されて衝立て具３を形成している。
【００４３】
パウチ４Ｐには、調理済みのカレー、スープ類などのレトルト食品が充填され、その上端の一側に開封用のノッチ６が設けられている。また、図２２のブランクの展開図に示すように、このパウチ４Ｐのノッチ６に対向する自立性カートン１ｆの上部の一側部には開口用のミシン目７が設けられている。
【００４４】
自立性カートン１ｆの内部に収納されているパウチ４Ｐを電子レンジで加熱する場合には、まず、自立性カートン本体２の開口用のミシン目７を切り取って除去し、パウチ４Ｐの開封用のノッチ６を開封した後、側パネル１２の摘み片１２ａを中方向に押し込んで貼り合わされている糊代片１１の摘み片１１ａと共に引き裂く。つぎに、引き出し部１６から支持部１２ａを引き出すと同時に補強部１２ｂ、１２ｂも引き出される。最後に、補強部１２ｂ、１２ｂの先端部分に設けられた凹部１２ｃが延長パネル１６で係止されるまで引き出され、固定されることによって衝立て具３が組み立てられる。この衝立て具３によって、自立性カートン本体２は傾斜した状態で安定して保持される。この衝立て具３で保持された自立性カートン本体２を電子レンジの中のターンテーブルの平面上に置くことによって、電子レンジの中で自立カートン本体２は傾斜した状態で安定して保持されて加熱される。また加熱された後はパウチ４Ｐを自立性カートン１ｆに収納したままカートンを持って開封用のノッチ６で開封された開口部から内容物を皿等に移し換えることができる。さらに、ジッパー５によって、開封し、パウチ４Ｐをカートンから取り出し、パウチ４Ｐをさらに大きく開封して内容物を皿等に移すことができる。
【００４５】
【発明の効果】
本発明によれば、内容物を収納した状態のままで簡単に自立性をもたせることができ、カートンの強度を弱めることのない自立性カートンを得ることができる。
【００４６】
すなわち、自立性があり、そして開口部から内容物を見せることにより、ディスプレイ効果を持たせることができる。
【００４７】
また、電子レンジ用パウチを収納したカートンにおいて、電子レンジの中でパウチをカートンに収納したままで、簡単に衝立て具を組み立てることができ、自立した状態で加熱することができる。しかも、使用前においては、折り畳たまれた形状となることから、運搬、保管などにおいては、一般のカートンと同様に扱うことができる。
【００４８】
さらに、パウチの開封ノッチに対向する本発明の自立性カートンの対向する部分に開口用ミシン目またはジッパーを設け、開口することによって、開口部でパウチの開封ノッチの開口が簡易にでき、加熱調理後の扱いが容易にできる。
【図面の簡単な説明】
【図１】本発明の自立性カートンの第一の実施の形態の一実施例が実際に自立している状態を示す斜視図である。
【図２】図１の自立性カートンの側面図である。
【図３】図１の自立性カートンのブランクの展開図である。
【図４】図１の自立性カートンの折り畳まれた状態を示す平面図であある。
【図５】図１の自立性カートンに内容物が充填された状態の斜視図である。
【図６】図１の自立性カートンを実際に組み立てる過程を示す図である。
【図７】本発明の自立性カートンの第二の実施の形態の一実施例が実際に自立している状態を示す斜視図である。
【図８】図７の自立性カートンの側面図である。
【図９】図７の自立性カートンのブランクの展開図である。
【図１０】図７の自立性カートンの折り畳まれた状態を示す平面図であある。
【図１１】図７の自立性カートンに内容物が充填された状態の斜視図である。
【図１２】図７の自立性カートンを実際に組み立てる過程を示す図である。
【図１３】本発明の自立性カートンの参考例１が実際に自立している状態を示す斜視図である。
【図１４】図１３の自立性カートンの側面図である。
【図１５】図１３の自立性カートンのブランクの展開図である。
【図１６】図７の自立性カートンの折り畳まれた状態を示す平面図であある。
【図１７】図７の自立性カートンに内容物が充填された状態の斜視図である。
【図１８】本発明の自立性カートンの参考例２のブランクの展開図である。
【図１９】本発明の自立性カートンの参考例３が実際に自立している状態を示す斜視図である。
【図２０】図１９の自立性カートンのブランクの展開図である。
【図２１】本発明の自立性カートンの参考例３の別の実施例が実際に自立している状態を示す斜視図である。
【図２２】図２１の自立性カートンのブランクの展開図である。
【図１】
0004629181.tif 000002
【図２】
0004629181.tif 000003
【図３】
0004629181.tif 000004
【図４】
0004629181.tif 000005
【図５】
0004629181.tif 000006
【図６】
0004629181.tif 000007
【図７】
0004629181.tif 000008
【図８】
0004629181.tif 000009
【図９】
0004629181.tif 000010
【図１０】
0004629181.tif 000011
【図１１】
0004629181.tif 000012
【図１２】
0004629181.tif 000013
【図１３】
0004629181.tif 000014
【図１４】
0004629181.tif 000015
【図１５】
0004629181.tif 000016
【図１６】
0004629181.tif 000017
【図１７】
0004629181.tif 000018
【図１８】
0004629181.tif 000019
【図１９】
0004629181.tif 000020
【図２０】
0004629181.tif 000021
【図２１】
0004629181.tif 000022
【図２２】
0004629181.tif 000023